(57)【要約】【課題】  薬剤注入口の開閉操作、及び薬剤収容室への原水流入路や流出路の開閉操作を容易且つスムーズに行うことができる混合用アタッチメントを提供する。【解決手段】  薬剤収容室１５に収容された混合用薬剤を原水と共に下流側流路１３に流出させる混合用アタッチメント１０であって、内側筒体１６に対する外側筒体１７の周方向Ｙへの回転移動によって、上流側閉塞部１９に形成された原水流入路２１や下流側閉塞部２０に形成された流出路２２を開閉するようになっており、外側筒体１７の周面には、薬剤収容室１５への薬剤注入口２３が開口形成され、この薬剤注入口２３と合致可能なスライド注入口２４を備える帯板状の開閉スライド部材２５が、軸方向Ｘにスライド移動可能に取り付けられている。また、開閉スライド部材２５の下端部２５ａを係止する切り欠き凹部２６と、開閉スライド部材２５の上端部２５ｂを遊嵌する切り欠き凹溝２８が設けられている。【選択図】      図２
2006043592.tif 000002
【特許請求の範囲】
【請求項１】
上流側流路と下流側流路との間に介在して設けられ、薬剤収容室に収容された混合用薬剤を上流側流路から流入した原水に混合しつつ、該原水と共に下流側流路に流出させる混合用アタッチメントであって、
同心状に配置された内側筒体と外側筒体とを有しており、前記内側筒体の内側を原水主流路とすると共に、前記内側筒体と前記外側筒体との間の中空部を、両端を上流側閉塞部と下流側閉塞部とで覆って前記薬剤収容室とし、
前記内側筒体に対する前記外側筒体の周方向への回転移動によって、前記上流側閉塞部に形成された原水流入路や前記下流側閉塞部に形成された流出路を開閉するようになっており、
前記外側筒体の周面には、前記薬剤収容室への薬剤注入口が開口形成され、該薬剤注入口と合致可能なスライド注入口を備える帯板状の開閉スライド部材が、前記薬剤注入口を覆って前記外側筒体の軸方向にスライド移動可能に取り付けられており、
且つ前記開閉スライド部材をスライド移動させて前記薬剤注入口と前記スライド注入口とを合致させた状態では、前記内側筒体に対する前記外側筒体の回転移動を阻止し、前記外側筒体を回転移動させて前記原水流入路や前記流出路が開放された状態では、前記開閉スライド部材のスライド移動を阻止するロック機構を備える混合用アタッチメント。
【請求項２】
前記開閉スライド部材は、前記外側筒体の上端縁部又は下端縁部から突出可能にスライド移動できるように取り付けられており、前記ロック機構は、前記開閉スライド部材と、前記外側筒体の下方又は上方において前記開閉スライド部材の端部を係止する切り欠き凹部と、前記外側筒体の上方又は下方に設けられた、遊嵌凸部及び該遊嵌凸部を周方向にスライド移動可能に遊嵌する切り欠き凹溝とからなり、前記開閉スライド部材の端部を前記切り欠き凹部に係止した状態で前記薬剤注入口と前記スライド注入口とを合致させ、該係止した状態を解除して前記遊嵌凸部が前記切り欠き凹溝の一方の端部に当接するまで前記外側筒体を周方向に回転させることにより、前記原水流入路や前記流出路を開放する請求項１記載の混合用アタッチメント。
【請求項３】
前記外側筒体は、当該外側筒体の上方及び下方に設けられた上方環状突壁と下方環状突壁との間に配置されてこれらに対して周方向に回転可能に取り付けられており、前記切り欠き凹部は、前記下方環状突壁の上端縁部又は前記上方環状突壁の下端縁部を切り欠いて形成される請求項１又は２に記載の混合用アタッチメント。
【請求項４】
前記切り欠き凹溝は、前記上方環状突壁の下端縁部又は前記下方環状突壁の上端縁部を切り欠いて形成され、前記遊嵌凸部は、前記外側筒体の上端縁部又は下端縁部から突出する部分である請求項３記載の混合用アタッチメント。
【請求項５】
前記遊嵌凸部は、前記開閉スライド部材の前記切り欠き凹部と嵌合する端部とは反対側の端部を突出させて設けられる請求項４記載の混合用アタッチメント。
【請求項６】
前記切り欠き凹溝は、前記外側筒体の上端縁部又は下端縁部を切り欠いて形成され、前記遊嵌凸部は、前記上方環状突壁の下端縁部又は前記下方環状突壁の上端縁部から突出する部分である請求項３記載の混合用アタッチメント。
【請求項７】
前記切り欠き凹溝は、前記上方環状突壁、前記下方環状突壁又は前記外側筒体の上端縁部又は下端縁部を、外側表面部分を残してこれの内側部分を切り欠くことによって形成される請求項４〜６のいずれかに記載の混合用アタッチメント。
【請求項８】
前記外側筒体の周面には、前記外側筒体の軸方向に延設するスライド案内溝が形成されており、前記開閉スライド部材は、該スライド案内溝に填め込まれて当該スライド案内溝に沿って軸方向にスライド移動する請求項１〜７のいずれかに記載の混合用アタッチメント。
【請求項９】
散布器具に取り付けて使用される請求項１〜８のいずれかに記載の混合用アタッチメント。
【請求項１０】
請求項１〜９のいずれかに記載の混合用アタッチメントを一体として取り付けた薬剤散布器具。
【発明の詳細な説明】
【技術分野】
【０００１】
本発明は、混合用薬剤を原水に混合しつつ、該原水と共に流出させる混合用アタッチメント、及び該混合用アタッチメントを一体として取り付けた薬剤散布器具に関する。
【背景技術】
【０００２】
例えばシャワー器具等の散布器具において、ホース等の管路を経て供給される原水に入浴剤等の薬剤を混合用薬剤として添加混合し、これらの混合用薬剤とともに原水を散布器具から散布できるようにしたアタッチメントが開示されている（例えば、特許文献１参照）。特許文献１に記載のアタッチメントは、図６に示すように、外部容器５０の内部に薬剤収容室５１が設けられた２重構造を備えており、流入口５２に設けられたバルブ５３を開閉して原水を薬剤収容室５１の内部に流入させ、流入した原水により混合用薬剤を溶解しつつ流出口５４を介して流出させて、混合用薬剤が添加混合された状態で原水を散布器具から散布できるようにするものである。また特許文献１に記載のアタッチメントによれば、薬剤収容室５１への混合用薬剤の補充は、薬剤収容室５１の外側に設けられた蓋５５を開閉して薬剤等を注入することによって行われる。
【０００３】
また、薬剤収容室（反応容器部）への混合用薬剤（反応部材）の補充を容易に行えるようにした混合用アタッチメント（シャワーヘッド装置）も開示されている（例えば、特許文献２参照）。特許文献２に記載のシャワーヘッド装置によれば、外周面に開口部を有する円筒形状の薬剤収容室の当該外周面に沿って、周面にスライド開口部を備える円筒スリーブ形状の開閉部材が、回転自在に密着して装着されており、この開閉部材を周方向に回転スライドさせてスライド開口部を薬剤収容室の開口部に合致させることにより、薬剤収容室に混合用薬剤を補充可能な状態とし、スライド開口部を開口部からずらすことにより、注入口の開口状態を遮断できるようにしたものである。
【０００４】
さらに、使用時に薬剤収容室へ原水を流入させて混合用薬剤を原水に添加混合させる状態と、補充時に薬剤収容室へ混合用薬剤を注入可能とする状態とを切り替える操作を、容易に行えるようにした混合用アタッチメントも開示されている（例えば、特許文献３参照）。特許文献３に記載の混合用アタッチメントによれば、同心状に配置された内側筒体と外側筒体とを有しており、内側筒体の内側を原水主流路とすると共に、内側筒体と外側筒体との間の中空部を、両端を上流側閉塞部と下流側閉塞部とで覆って薬剤収容室とし、外側筒体の外周に装着されたカバー体を軸方向にスライド移動させて外側筒体の周面に形成された薬剤注入口を開閉する一方で、カバー体を外側筒体とともに周方向へ回転移動させて、上流側閉塞部に形成された原水流入路や下流側閉塞部に形成された流出路を開閉するようになっている。
【特許文献１】特開平８−１８７４５４号公報
【特許文献２】特開２００２−３５６４５号公報
【特許文献３】特開２００４−４２０２７号公報
【発明の開示】
【発明が解決しようとする課題】
【０００５】
しかしながら、引用文献１に記載のアタッチメントによれば、バルブ５３を開閉して原水に混合用薬剤を添加混合する操作と、蓋５５を開閉して薬剤収容室５１に薬剤等を注入する操作とは、異なる機構を介して行われることになり、取り扱いが面倒になると共に、混合用薬剤の補充作業の最中や補充作業の後に蓋５５を閉めていない状態で、薬剤収容室５１の流入口５２を開放したままホースや散布装置に原水を給送すること（誤動作）によって、例えば薬剤収容室５１に収容された混合用薬剤を薬剤注入口５６から周囲にまき散らしてしまうおそれがある。
【０００６】
また、特許文献２に記載のシャワーヘッド装置によれば、混合用薬剤を混合している状態から原水のみを流下させる状態に切り替える操作が煩雑になり、また円筒形状の薬剤収容室の外周面と円筒スリーブ形状の開閉部材の内周面との間の隙間に混合用薬剤や原水が侵入して、カビやぬめりが生じやすくなる。さらに、温水等を使用する場合には、これらの隙間に蒸気が侵入して曇ることにより、薬剤収容室を透明な部材によって形成した場合でも、内部の混合用薬剤の残量等を確認しにくくなる。
【０００７】
一方、特許文献３に記載の混合用アタッチメントによれば、カバー体や外側筒体の軸方向又は周方向へのスライド移動によって、薬剤収容室へ原水を流入させて混合用薬剤を原水に添加混合する操作と、薬剤収容室へ混合用薬剤を注入可能な状態とする操作とを、スムーズに切り替えながら容易に行うことが可能になると共に、混合用薬剤の注入口を開放したまま薬剤収容室へ原水を流入させてしまうといったこと（誤動作）を確実に回避することが可能になるが、取り扱い易さをさらに向上させることが望まれている。
【０００８】
本発明は、薬剤注入口の開閉操作、及び薬剤収容室への原水流入路や流出路の開閉操作を容易且つスムーズに行うことができ、薬剤注入口を開放したまま薬剤収容室へ原水が流入するのを確実に回避することができ、且つ取り扱い易さが向上するとともに前述のカビやぬめりの発生を抑制することができる混合用アタッチメント、及び該混合用アタッチメントを取り付けた薬剤散布器具を提供することを目的とする。
【課題を解決するための手段】
【０００９】
本発明は、上流側流路と下流側流路との間に介在して設けられ、薬剤収容室に収容された混合用薬剤を上流側流路から流入した原水に混合しつつ、該原水と共に下流側流路に流出させる混合用アタッチメントであって、同心状に配置された内側筒体と外側筒体とを有しており、前記内側筒体の内側を原水主流路とすると共に、前記内側筒体と前記外側筒体との間の中空部を、両端を上流側閉塞部と下流側閉塞部とで覆って前記薬剤収容室とし、前記内側筒体に対する前記外側筒体の周方向への回転移動によって、前記上流側閉塞部に形成された原水流入路や前記下流側閉塞部に形成された流出路を開閉するようになっており、前記外側筒体の周面には、前記薬剤収容室への薬剤注入口が開口形成され、該薬剤注入口と合致可能なスライド注入口を備える帯板状の開閉スライド部材が、前記薬剤注入口を覆って前記外側筒体の軸方向にスライド移動可能に取り付けられており、且つ前記開閉スライド部材をスライド移動させて前記薬剤注入口と前記スライド注入口とを合致させた状態では、前記内側筒体に対する前記外側筒体の回転移動を阻止し、前記外側筒体を回転移動させて前記原水流入路や前記流出路が開放された状態では、前記開閉スライド部材のスライド移動を阻止するロック機構を備える混合用アタッチメント、及び該混合用アタッチメントを一体として取り付けた薬剤散布器具を提供することにより、上記目的を達成したものである。
【発明の効果】
【００１０】
本発明の混合用アタッチメント又は薬剤散布器具によれば、薬剤注入口の開閉操作、及び薬剤収容室への原水流入路や流出路の開閉操作を容易且つスムーズに行うことができると共に、薬剤注入口を開放したまま薬剤収容室へ原水が流入するのを確実に回避することができ、且つ取り扱い易さを向上させることができる。
【発明を実施するための最良の形態】
【００１１】
本発明の好ましい第１実施形態に係る混合用アタッチメント１０は、図１に示すように、例えば、散布器具であるシャワー器具１１と、シャワー水供給ホース１２との間に介在して取り付けられ、原水であるシャワー水に浴用薬剤、洗浄用薬剤、香料薬剤、スキンケア用薬剤等の薬剤を添加混合しつつ下流側のシャワー器具１１に向けて流下させて、これらの薬剤が添加混合されたシャワー水によってシャワーを行うことを可能し、シャワー器具１１を薬剤散布器具としても用いることができるようにするために採用されたものである。すなわち、本第１実施形態の混合用アタッチメント１０は、例えば合成樹脂からなり、例えば使用者が湯上り用としてシャワーを使用する際に、その都度、薬剤収容室１５（図３参照）に所望量の混合用薬剤を注入充填し、混合用薬剤を混合したシャワー水を身体に散水させ、当該混合用薬剤を身体に付着させて、これらの薬剤による効用が効果的に得られるようにすること目的として用いられるものである。
【００１２】
そして、本第１実施形態の混合用アタッチメント１０は、図２（ａ），（ｂ）、図３、及び図４（ａ），（ｂ）に示すように、シャワー水供給ホース１２側の上流側流路１３とシャワー器具１１側の下流側流路１４との間に介在して設けられ、薬剤収容室１５に液状、ゲル状、粒状等の状態で収容された混合用薬剤を上流側流路１３から流入した原水に混合しつつ、当該混合用薬剤を希釈又は溶解させた混合液を原水と共に下流側流路１４に流出させるアタッチメントであって、同心状に配置された内側筒体１６と外側筒体１７とを有しており、内側筒体１６の内側は原水主流路１８となっていると共に、内側筒体１６と外側筒体１７との間の円環状断面を有する中空部は、両端を上流側閉塞部１９と下流側閉塞部２０とで覆って薬剤収容室１５となっている。また内側筒体１６に対する外側筒体１７の周方向Ｙへの回転移動によって、上流側閉塞部１９に形成された原水流入路２１（図４（ｂ）参照）や下流側閉塞部２０に形成された流出路２２（図４（ｂ）参照）を開閉するようになっており、外側筒体１７の周面には、薬剤収容室１５への薬剤注入口２３が開口形成され、この薬剤注入口２３と合致可能なスライド注入口２４を備える帯板状の開閉スライド部材２５が、薬剤注入口２３を覆って外側筒体１７の軸方向Ｘにスライド移動可能に取り付けられている。さらに、開閉スライド部材２５を軸方向Ｘにスライド移動させて薬剤注入口２３とスライド注入口２４とを合致させた状態では（図４（ａ）参照）、内側筒体１６に対する外側筒体１７の回転移動を阻止し、外側筒体１７を回転移動させて原水流入路２１や流出路２２が開放された状態では（図４（ｂ）参照）、開閉スライド部材２５の軸方向Ｘへのスライド移動を阻止するロック機構を備えている。
【００１３】
また、本第１実施形態によれば、開閉スライド部材２５は、外側筒体１７の下端縁部から下方に突出可能にスライド移動できるように取り付けられており、ロック機構は、この開閉スライド部材２５と、外側筒体１７の下方において開閉スライド部材２５の下端部である下方突出部分２５ａを係止する切り欠き凹部２６と、外側筒体１７の上方に設けられた、遊嵌凸部２７及びこの遊嵌凸部２７を周方向Ｙにスライド移動可能に遊嵌する切り欠き凹溝２８とによって構成される。そして、開閉スライド部材２５の下方突出部分２５ａを切り欠き凹部２６に係止した状態（図２（ａ）参照）で薬剤注入口２３とスライド注入口２４とを合致させ、この係止した状態を開放して遊嵌凸部２７が切り欠き凹溝２８の一方（右側）の端部に当接するまで外側筒体１７を回転させることにより（図２（ｂ）参照）、原水流入路２１や流出路２２を開放するようになっている。
【００１４】
さらに、本第１実施形態によれば、外側筒体１７は、当該外側筒体１７の上方及び下方に設けられた上方環状突壁２９と下方環状突壁３０との間に配置されてこれらに対して周方向Ｙに回転可能に取り付けられており、切り欠き凹部２６は、下方環状突壁３０の上端縁部を切り欠いて形成されている。
【００１５】
さらにまた、本第１実施形態によれば、切り欠き凹溝２８は、上方環状突壁２９の下端縁部を切り欠いて形成され、遊嵌凸部２７は、開閉スライド部材２５が上方にスライド移動した際に外側筒体１７の上端縁部から上方に突出する切り欠き凹部２６と係止される下端部２５ａとは反対側の部分である開閉スライド部材２５の上端部２５ｂによって構成されている。
【００１６】
また、本第１実施形態によれば、外側筒体１７の周面には、外側筒体１７の軸方向Ｘに延設するスライド案内溝３１が形成されており、開閉スライド部材２５は、このスライド案内溝３１に填め込まれて当該スライド案内溝３１に沿って軸方向Ｘにスライド移動するようになっている。
【００１７】
本第１実施形態の混合用アタッチメント１０を構成する内側筒体１６は、円盤ドーナツ形状の上方基盤３２と円盤ドーナツ形状の下方基盤３３とによって上下の端部を支持された状態で固定され、内側の原水主流路１８は、上方基盤３２及び下方基盤３３の中央貫通穴３２ａ．３３ａを介して下流側流路１４や上流側流路１３と連通している。この内側筒体１６の下部及び上部における周面が上流側閉塞部１９及び下流側閉塞部２０によって覆われる部分には、上流側連通孔３４及び下流側連通孔３５が、当該内側筒体１６の周壁を横方向に貫通するようにして、周方向Ｙの同じ位置に上下に配置されて各々形成されている（図４（ａ），（ｂ）参照）。
【００１８】
外側筒体１７は、好ましくは透明な合成樹脂からなるスリーブ形状の部材であって、その下端部及び上端部において、内側筒体１６との間に上流側閉塞部１９及び下流側閉塞部２０を各々介在させて、内側筒体１６に対して周方向Ｙに回転移動可能に取り付けられる。これによって、外側筒体１７の内側には、当該外側筒体１７と、内側筒体１６と、上流側閉塞部１９及び下流側閉塞部２０とによって囲まれる、円環状断面の薬剤収容室１５が形成されることになる。
【００１９】
また、本第１実施形態によれば、外側筒体１７には、これの下部における周面に薬剤収容室１５への薬剤注入口２３が開口形成され、この薬剤注入口２３は水抜き口を兼ねると共に、外側筒体１７の上部には、薬剤注入口２３の垂直上方に位置して空気孔３６が開口形成されている。そして、薬剤注入口２３及び空気孔３６を覆うようにして、これらと同時に合致可能なスライド注入口２４及びスライド空気孔４３を有する開閉スライド部材２５が、外側筒体１７の軸方向Ｘにスライド移動可能に取り付けられている。
【００２０】
開閉スライド部材２５は、例えば親指で操作し易い幅として５〜２０ｍｍ程度の幅を有する帯板状の部材であって、その上側部分が隆起部２５ｃとして肉厚に盛り上がって形成される。隆起部２５ｃの外表面には例えば滑止め用の凹凸が設けられて、開閉スライド部材２５を軸方向Ｘにスライド移動する際や外側筒体１７を周方向Ｙに回転移動する際の操作性を向上させている。また、本第１実施形態によれば、開閉スライド部材２５は、外側筒体１７の外周面に形成されたスライド案内溝３１に填め込まれるようにして、当該スライド案内溝３１に沿って軸方向Ｘにスライド移動するようになっている。これによって、開閉スライド部材２５を軸方向Ｘに安定した状態でスライド移動させることが可能になると共に、外側筒体１７を周方向Ｙに回転移動する際の操作を安定した状態で行うことが可能になる。
【００２１】
外側筒体１７と内側筒体１６との間に介在する上流側閉塞部１９と下流側閉塞部２０は、円盤ドーナツ形状の部材であって、下方基盤３３と上方基盤３２の薬剤収容室１５側の内面に各々回転スライド可能に密着して取り付けられる。また上流側閉塞部１９と下流側閉塞部２０は、シール性を確保するためのＯ−リングを適宜の位置に介在させつつ、上流側閉塞部１９と下流側閉塞部２０の外周面を外側筒体１７の内周面に各々接合一体化すると共に、これらの内周面を内側筒体１６の外周面に各々回転スライド可能に密着させて取り付けられる。これによって上流側閉塞部１９と下流側閉塞部２０は、内側筒体１６を中心とした周方向Ｙに、外側筒体１７と一体となって回転移動することになる。
【００２２】
また、上流側閉塞部１９と下流側閉塞部２０の内部には、これらの断面中央部分を同心状かつ円環状に貫通するようにして、原水流入路２１及び流出路２２が、周方向Ｙに沿って延設して各々形成されている。原水流入路２１が形成された上流側閉塞部１９には、内側筒体１６の上流側連通孔３４と合致することが可能な周方向Ｙの特定の位置に、内側筒体１６の外周面を覆う当該上流側閉塞部１９の内壁部分を貫通して、原水流入口３７（図４（ｂ）参照）が形成されている。また原水流入路２１の天面壁部分を貫通して、収容室連通孔３８が周方向Ｙに複数箇所開口形成されており、これらの収容室連通孔３８を介して、原水流入路２１から薬剤収容室１５に原水を供給することができるようになっている。
【００２３】
一方、流出路２２が形成された下流側閉塞部２０には、内側筒体１６の下流側連通孔３５と合致することが可能な周方向Ｙの特定の位置に、内側筒体１６の外周面を覆う当該下流側閉塞部２０の内壁部分を貫通して、流出口３９（図４（ｂ）参照）が、原水流入口３７と同じ方向に開口して形成されている。また流出路２２の下面壁部分を貫通して、収容室連通孔４０が周方向Ｙに複数箇所開口形成されており、これらの収容室連通孔４０を介して、混合用薬剤を混入した原水を薬剤収容室１５から流出路２２に排出することができるようになっている。
【００２４】
そして、本第１実施形態によれば、内側筒体１６に対する上流側閉塞部１９及び下流側閉塞部２０が一体となった外側筒体１７の相対的な回転移動によって、図４（ａ）に示すような、上流側連通孔３４及び下流側連通孔３５と、原水流入口３７及び流出口３９とが互いにずれて原水流入路２１及び流出路２２が閉塞された状態と、図４（ｂ）に示すような、上流側連通孔３４及び下流側連通孔３５と、原水流入口３７及び流出口３９とが互いに合致して原水流入路２１及び流出路２２が開放された状態とを切り替えて、原水流入路２１及び流出路２２の開閉操作を容易に行うことが可能になる。
【００２５】
本第１実施形態によれば、外側筒体１７の開閉スライド部材２５と共に上記ロック機構を構成する切り欠き凹部２６は、図２（ａ），（ｂ）に示すように、外側筒体１７の下方に張り出して設けられた、下方基盤３３の外周部分である下方環状突壁３０の上端縁部を、例えば開閉スライド部材２５の幅と同等かこれよりも若干広い幅で、略矩形形状に下方に切り欠いて形成される。この切り欠き凹部２６には、スライド案内溝３１に沿って下方にスライド移動させた開閉スライド部材２５の下方突出部分２５ａが嵌合するように係止される。この状態では、外側筒体１７に開口形成された薬剤注入口２３及び空気孔３６と、開閉スライド部材２５に開口形成されたスライド注入口２４及びスライド空気孔４３とが互いに合致して、薬剤収容室１５の水抜きや、薬剤収容室１５への混合用薬剤の注入を行うことが可能になる（図４（ａ）参照）。またこの状態では、開閉スライド部材２５の下方突出部分２５ａが切り欠き凹部２６に係止して、外側筒体１７の周方向Ｙへの回転移動が確実に阻止されることになる。
【００２６】
開閉スライド部材２５及び切り欠き凹部２６と共に上記ロック機構を構成する切り欠き凹溝２８は、外側筒体１７の上方に張り出して設けられた、上方基盤３２の外周部分である上方環状突壁２９の下端縁部を、切り欠き凹部２６の直上部分から例えば開閉スライド部材２５の幅の１．５〜４倍程度の周方向Ｙの長さで上方に切り欠いて形成される。また切り欠き凹溝２８は、下方突出部分２５ａが切り欠き凹部２６から抜き出されるまで開閉スライド部材２５を上方にスライド移動できるような深さで設けられている。
【００２７】
この切り欠き凹溝２８には、スライド案内溝３１に沿って上方にスライド移動させた、開閉スライド部材２５の上端部２５ｂにある遊嵌凸部２７が遊嵌し、当該切り欠き凹溝２８によって画定される領域内においてこの遊嵌凸部２７を周方向Ｙにスライドさせつつ、外側筒体１７を内側筒体１６に対して周方向Ｙに回転移動させることが可能になる。この状態では、外側筒体１７に開口形成された薬剤注入口２３及び空気孔３６と、開閉スライド部材２５に開口形成されたスライド注入口２４及びスライド空気孔４３とが互いにずれて閉塞することになる。また遊嵌凸部２７が切り欠き凹溝２８の右側端部に当接するまで外側筒体１７を回転移動することにより、上流側連通孔３４及び下流側連通孔３５と原水流入口３７及び流出口３９とが互いに合致して、原水を薬剤収容室１５に流入させることが可能になる（図４（ｂ）参照）。さらに、開閉スライド部材２５は、切り欠き凹部２６が設けられた位置から周方向Ｙにずれて、これの下端部２５ａが下方環状突壁３０の切り欠き凹部２６のない上端縁部に当接することにより、開閉スライド部材２５の下方へのスライド移動が確実に阻止されることになる。
【００２８】
なお、本第１実施形態によれば、混合用アタッチメント１０には、図１及び図３に示すように、その上端部に、上方基盤３２を介してシャワー器具１１が装着されると共に、その下端部に、下方基盤３３を介して例えば脱塩素フィルターを備える浄水部４１が装着され、さらにこの浄水部４１にシャワー水供給ホース１２が接続される。
【００２９】
また、本第１実施形態によれば、薬剤収容室１５の上流側端部における原水流入路２１の収容室連通孔３８と接続して、流出路２２に向かう螺旋流を薬剤収容室１５内に生じさせる螺旋流発生手段が設けられている。すなわち、本第１実施形態によれば、螺旋流発生手段は、例えば円環状断面を有する薬剤収容室１５の下端部分に周方向Ｙに１８０度の間隔をおいて配置された一対の中空円筒突起４２からなるものである。これらの中空円筒突起４２は、例えば放流口を、各々円環状断面の薬剤収容室１５の周方向Ｙに沿った同じ回転方向に向けて横向きに開口させていることより、原水流入路２１から流入する原水を円環状断面の周方向Ｙに向けて放流口から放流させ、これによって薬剤収容室１５内に、流出路２２に向かう螺旋流を発生させるようになっている。
【００３０】
そして、上述の構成を有する本第１実施形態の混合用アタッチメント１０が取り付けられたシャワー器具１１を用いて、混合用薬剤を混合したシャワー水によるシャワーを行うには、まず薬剤収容室１５に所望量の混合用薬剤を注入する作業を行う。すなわち、混合用アタッチメント１０やシャワー器具１１が一体として取り付けられた、図１に示す薬剤散布器具を手で把持し、例えば親指を開閉スライド部材２５の隆起部２５ｃに密着係止して、遊嵌凸部２７が切り欠き凹溝２８の左側端部に当接するまで外側筒体１７を回転移動し、さらに開閉スライド部材２５を下方にスライド移動して、下方突出部分２５ａを切り欠き凹部２６に係止する。これによって、外側筒体１７の薬剤注入口２３及び空気孔３６と、開閉スライド部材２５のスライド注入口２４及びスライド空気孔４３とが合致するので、空気孔３６から空気を排除しつつ、薬剤注入口２３を介して薬剤収容室１５へ混合用薬剤をスムーズに注入してゆくことが可能になる。またこの注入作業の最中には、下方突出部分２５ａの切り欠き凹部２６への係止によって、外側筒体１７の回転移動が阻止されて、薬剤収容室１５に原水を流入させることがない。
【００３１】
薬剤収容室１５へ混合用薬剤を所望量注入したら、例えば上述と同様の親指の操作によって、開閉スライド部材２５を、その上端部２５ｂが切り欠き凹溝２８の左側端部の上縁部分に当接するまで上方にスライド移動させる。これによって、外側筒体１７の薬剤注入口２３及び空気孔３６と、開閉スライド部材２５のスライド注入口２４及びスライド空気孔４３とがずれて、薬剤注入口２３及び空気孔３６が閉塞され、注入された混合用薬剤が薬剤収容室１５から洩出することなく内部に収容された、薬剤散布までの待機状態となる。また、開閉スライド部材２５を上方にスライド移動させた後に、これの下端部２５ａが切り欠き凹部２６から周方向Ｙに外れるように外側筒体１７を僅かに回転移動させることにより、かかる待機状態において、開閉スライド部材２５が下方に移動して混合用薬剤が洩出するのを効果的に回避することが可能になる。
【００３２】
そして、このような待機状態から、使用者が、例えば入浴の仕上げとしてシャワー水と共に混合用薬剤を身体に散布する際には、例えばシャワーを行いつつ上述と同様の親指の操作によって、開閉スライド部材２５の遊嵌凸部２７が切り欠き凹溝２８の右側端部に当接するまで外側筒体１７を回転移動する。これによって、上流側連通孔３４及び下流側連通孔３５と原水流入口３７及び流出口３９とが互いに合致し、原水を薬剤収容室１５に流入させると共に、混合用薬剤を原水に混合させて下流側流路１４に流出させることが可能になり、シャワー水と共に混合用薬剤を身体に散布することができる。
【００３３】
シャワーが終了したら、例えば上述と同様の親指の操作によって、外側筒体１７を反対側に回転移動して遊嵌凸部２７を切り欠き凹溝２８の左側端部に当接させ、さらに下方突出部分２５ａが切り欠き凹部２６に係止するまで開閉スライド部材２５を下方にスライド移動させる。これによって、外側筒体１７の薬剤注入口２３及び空気孔３６と、開閉スライド部材２５のスライド注入口２４及びスライド空気孔４３とが合致して、混合用薬剤と入れ替わった原水が薬剤注入口２３を介して薬剤収容室１５から水抜きされ、薬剤収容室１５へ混合用薬剤を注入してゆくことが可能な状態に復帰することになる。
【００３４】
したがって、本第１実施形態の混合用アタッチメント１０、又はこの混合用アタッチメント１０を取り付けた薬剤散布器具によれば、例えば親指による簡単な操作によって、薬剤注入口２３の開閉操作、及び薬剤収容室１５への原水流入路２１や流出路２２の開閉操作を容易且つスムーズに行うことができると共に、薬剤注入口２３を開放したまま薬剤収容室１５へ原水が流入するのを確実に回避することができ、且つ取り扱い易さを向上させることが可能になる。
【００３５】
また、本第１実施形態によれば、外側筒体１７は、開閉スライド部材２５を上下にスライド移動させるスライド案内溝３１が設けられた５〜２０ｍｍ程度の幅の帯状部分を除いて、その略全体を一重構造とすることができ、薬剤収容室の外側に周方向Ｙに回転移動可能なスリーブ部材を設けて二重構造とした場合とは違って、薬剤収容室の外周面とスリーブ部材の内周面との間の隙間に混合用薬剤や原水が侵入してカビやぬめり、水垢等の汚れが発生するのを抑制することができる。また開閉スライド部材２５は、外側筒体１７の外周面に沿って上下方向にのみスライド移動し、周方向Ｙへはスライド移動しないので、スライド案内溝３１との間の隙間を極僅かなものとすることができ、これによって、カビやぬめり、水垢等の汚れの発生をさらに抑制できる。
【００３６】
さらに、本第１実施形態によれば、外側筒体１７は、その略全体を一重構造とすることができるので、外側筒体１７を透明な部材によって形成しても、二重構造の隙間に蒸気等が侵入して曇ることになるのを回避することができ、これによって薬剤収容室１５の内部の混合用薬剤の残量等を容易に確認することができる。
【００３７】
なお、本発明は上記第１実施形態に限定されることなく種々の変更が可能である。例えば、本発明の混合用アタッチメントは、シャワー水に浴用薬剤やスキンケア用薬剤等の身体用薬剤を混合して送り出すものに限定されることなく、シャワー器具以外のその他の薬剤散布器具に取り付けて、各種の液状、ゲル状、粒状、固形状等の家庭用消費薬剤や農業用薬剤等の薬剤を原水に混合するために採用することもできる。また、薬剤収容室の内部に螺旋流を生じさせる螺旋流発生手段は設けても設けなくても良く、内側筒体に対して外側筒体を回転操作して流入路及び流出路を開閉する機構は、上述の開閉機構に限定されるものではない。さらに、混合用アタッチメントは、シャワー器具とシャワー水供給ホースとの間に介在させて取り付ける必要は必ずしもなく、シャワー器具の外部から見えないように当該シャワー器具に内蔵させて取り付けることもできる。さらにまた、開閉スライド部材は、スライド案内溝に填め込まれて当該スライド案内溝に沿って軸方向にスライド移動するものでなくても良い。
【００３８】
また、薬剤注入口とスライド注入口とを合致させた状態では内側筒体に対する外側筒体の回転移動を阻止し、原水流入路や流出路が開放された状態では開閉スライド部材のスライド移動を阻止するロック機構として、上記第１実施形態のものに限定されることなくその他の種々のロック機構を採用することができる。例えば、図５（ａ）に示すように、開閉スライド部材２５の突出部分を係止する切り欠き凹部２６を、上方環状突壁２９の下端縁部を切り欠いて形成し、遊嵌凸部２７を遊嵌する切り欠き凹溝２８を下方環状突壁３０の上端縁部を切り欠いて形成することもできる。また、図５（ｂ）に示すように、切り欠き凹溝２８を、外側筒体１７の上端縁部又は下端縁部を切り欠いて形成し、遊嵌凸部２７を、上方環状突壁２９の下端縁部又は下方環状突壁３０の上端縁部から突出する部分としても良い。
【００３９】
さらに、図５（ｃ）に示すように、切り欠き凹溝２８は、上方環状突壁２９、下方環状突壁３０又は外側筒体１７の上端縁部又は下端縁部の内側を、外側表面部分を残して（外側表面部分に切り欠き凹溝２８を形成するのではなく）切り欠くことによって形成し、この内側部分の切り欠き凹溝２８に、対向する上端縁部又は下端縁部の内側部分から突出させた遊嵌凸部２７を遊嵌させるようにすることもできる。このように、切り欠き凹溝２８を外側表面部分を残して（外側表面部分に切り欠き凹溝２８を形成するのではなく）内側部分に形成することにより、切り欠き凹溝２８及び遊嵌凸部２７を当該外側表面部分で覆い隠して、これらがシャワー器具や薬剤散布器具の外部から見えないようにすることができ、これによってデザイン性を向上させることが可能になる。また切り欠き凹溝２８と遊嵌凸部２７による回転機構を内側に設けることによって、汚れやカビの発生をさらに低減させることが可能になる。
【図面の簡単な説明】
【００４０】
【図１】本発明の第１実施形態に係る混合用アタッチメントをシャワー器具に取り付けて使用する状況を説明する側面図である。
【図２】（ａ），（ｂ）は、本発明の第１実施形態に係る混合用アタッチメントを示す側面図である。
【図３】本発明の第１実施形態に係る混合用アタッチメントをシャワー器具に取り付けて構成される薬剤散布器具の断面図である。
【図４】（ａ）は、本発明の第１実施形態に係る混合用アタッチメントの薬剤収容室へ混合用薬剤を注入可能な状態を示す断面図、（ｂ）は、本発明の第１実施形態に係る混合用アタッチメントの混合用薬剤を原水に混合可能な状態を示す断面図である。
【図５】（ａ）〜（ｃ）は、本発明の混合用アタッチメントにおけるロック機構の他の形態を例示する略示斜視図である。
【図６】従来の混合用アタッチメントの一例を説明する部分破断側面図である。
【符号の説明】
【００４１】
１０  混合用アタッチメント
１１  シャワー器具
１２  シャワー水供給ホース
１３  上流側流路
１４  下流側流路
１５  薬剤収容室
１６  内側筒体
１７  外側筒体
１８  原水主流路
１９  上流側閉塞部
２０  下流側閉塞部
２１  原水流入路
２２  流出路
２３  薬剤注入口
２４  スライド注入口
２５  開閉スライド部材
２５ａ  開閉スライド部材の下端部（下方突出部分）
２５ｂ  開閉スライド部材の上端部
２５ｃ  開閉スライド部材の隆起部
２６  切り欠き凹部
２７  遊嵌凸部
２８  切り欠き凹溝
２９  上方環状突壁
３０  下方環状突壁
３１  スライド案内溝
３２  上方基盤
３３  下方基盤
３４  上流側連通孔
３５  下流側連通孔
３６  空気孔
３７  原水流入口
３８  収容室連通孔
３９  流出口
４０  収容室連通孔
４１  浄水部
４２  中空円筒突起（螺旋流発生手段）
４３  スライド空気孔
Ｘ    軸方向
Ｙ    周方向
【図１】
2006043592.tif 000003
【図２】
2006043592.tif 000004
【図３】
2006043592.tif 000005
【図４】
2006043592.tif 000006
【図５】
2006043592.tif 000007
【図６】
2006043592.tif 000008